(57)【特許請求の範囲】
【請求項１】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像の次の画像以降の画像を前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
処理をコンピュータに実行させることを特徴とする電子カルテシステムへの登録画像候補の抽出プログラム。
【請求項２】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像の前の画像までを前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
処理をコンピュータに実行させることを特徴とする電子カルテシステムへの登録画像候補の抽出プログラム。
【請求項３】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像と、他の患者に対応する識別情報が画像中に検知される撮像画像との間の１又は複数の撮像画像を前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
処理をコンピュータに実行させることを特徴とする電子カルテシステムへの登録画像候補の抽出プログラム。
【請求項４】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像以降の画像を前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
処理をコンピュータに実行させることを特徴とする電子カルテシステムへの登録画像候補の抽出プログラム。
【請求項５】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像までを前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
処理をコンピュータに実行させることを特徴とする電子カルテシステムへの登録画像候補の抽出プログラム。
【請求項６】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像から、他の患者に対応する識別情報が画像中に検知される撮像画像の直前の画像までの１又は複数の撮像画像を前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
処理をコンピュータに実行させることを特徴とする電子カルテシステムへの登録画像候補の抽出プログラム。
【請求項７】
特定した前記撮像画像も、抽出した前記撮像画像の候補の表示に合わせて表示する、
ことを特徴とする請求項１〜請求項６の何れか１項記載の抽出プログラム。
【請求項８】
前記患者を識別する識別情報は、前記患者の識別情報を示す１次元バーコード又は２次元バーコードにより表される情報である、
ことを特徴とする請求項１〜請求項７の何れか１項記載の抽出プログラム。
【請求項９】
特定した前記画像枚数と、前記電子カルテシステムに登録撮像画像として選択済みの撮像画像の枚数との差分枚数を、前記電子カルテシステムに登録する撮像画像の選択に応じて順次、更新表示する、
ことを特徴とする請求項１〜請求項８の何れか１項記載の抽出プログラム。
【請求項１０】
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像の次の画像以降の画像を前記特定の患者の撮像画像の候補として抽出して表示する抽出表示部と、
前記電子カルテシステムにおいて、前記特定の患者について画像を追加登録する対象の項目の選択を受け付ける受付部と、
前記項目に対応して登録可能な画像枚数を特定する第２特定部と、
特定した前記画像枚数の範囲内で、表示された前記撮像画像の中から前記電子カルテシステムに登録する撮像画像の選択を許容する許容部と、
を含むことを特徴とする電子カルテシステムへの登録画像候補の抽出装置。
【請求項１１】
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像の前の画像までを前記特定の患者の撮像画像の候補として抽出して表示する抽出表示部と、
前記電子カルテシステムにおいて、前記特定の患者について画像を追加登録する対象の項目の選択を受け付ける受付部と、
前記項目に対応して登録可能な画像枚数を特定する第２特定部と、
特定した前記画像枚数の範囲内で、表示された前記撮像画像の中から前記電子カルテシステムに登録する撮像画像の選択を許容する許容部と、
を含むことを特徴とする電子カルテシステムへの登録画像候補の抽出装置。
【請求項１２】
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像と、他の患者に対応する識別情報が画像中に検知される撮像画像との間の１又は複数の撮像画像を前記特定の患者の撮像画像の候補として抽出して表示する抽出表示部と、
前記電子カルテシステムにおいて、前記特定の患者について画像を追加登録する対象の項目の選択を受け付ける受付部と、
前記項目に対応して登録可能な画像枚数を特定する第２特定部と、
特定した前記画像枚数の範囲内で、表示された前記撮像画像の中から前記電子カルテシステムに登録する撮像画像の選択を許容する許容部と、
を含むことを特徴とする電子カルテシステムへの登録画像候補の抽出装置。
【請求項１３】
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像以降の画像を前記特定の患者の撮像画像の候補として抽出して表示する抽出表示部と、
前記電子カルテシステムにおいて、前記特定の患者について画像を追加登録する対象の項目の選択を受け付ける受付部と、
前記項目に対応して登録可能な画像枚数を特定する第２特定部と、
特定した前記画像枚数の範囲内で、表示された前記撮像画像の中から前記電子カルテシステムに登録する撮像画像の選択を許容する許容部と、
を含むことを特徴とする電子カルテシステムへの登録画像候補の抽出装置。
【請求項１４】
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像までを前記特定の患者の撮像画像の候補として抽出して表示する抽出表示部と、
前記電子カルテシステムにおいて、前記特定の患者について画像を追加登録する対象の項目の選択を受け付ける受付部と、
前記項目に対応して登録可能な画像枚数を特定する第２特定部と、
特定した前記画像枚数の範囲内で、表示された前記撮像画像の中から前記電子カルテシステムに登録する撮像画像の選択を許容する許容部と、
を含むことを特徴とする電子カルテシステムへの登録画像候補の抽出装置。
【請求項１５】
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像から、他の患者に対応する識別情報が画像中に検知される撮像画像の直前の画像までの１又は複数の撮像画像を前記特定の患者の撮像画像の候補として抽出して表示する抽出表示部と、
前記電子カルテシステムにおいて、前記特定の患者について画像を追加登録する対象の項目の選択を受け付ける受付部と、
前記項目に対応して登録可能な画像枚数を特定する第２特定部と、
特定した前記画像枚数の範囲内で、表示された前記撮像画像の中から前記電子カルテシステムに登録する撮像画像の選択を許容する許容部と、
を含むことを特徴とする電子カルテシステムへの登録画像候補の抽出装置。
【請求項１６】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像の次の画像以降の画像を前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
ことを含む処理をコンピュータに実行させる電子カルテシステムへの登録画像候補の抽出方法。
【請求項１７】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像の前の画像までを前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
ことを含む処理をコンピュータに実行させる電子カルテシステムへの登録画像候補の抽出方法。
【請求項１８】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像と、他の患者に対応する識別情報が画像中に検知される撮像画像との間の１又は複数の撮像画像を前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
ことを含む処理をコンピュータに実行させる電子カルテシステムへの登録画像候補の抽出方法。
【請求項１９】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像以降の画像を前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
ことを含む処理をコンピュータに実行させる電子カルテシステムへの登録画像候補の抽出方法。
【請求項２０】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像までを前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
ことを含む処理をコンピュータに実行させる電子カルテシステムへの登録画像候補の抽出方法。
【請求項２１】
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像から、他の患者に対応する識別情報が画像中に検知される撮像画像の直前の画像までの１又は複数の撮像画像を前記特定の患者の撮像画像の候補として抽出して表示し、
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
ことを含む処理をコンピュータに実行させる電子カルテシステムへの登録画像候補の抽出方法。
【発明の詳細な説明】
【技術分野】
【０００１】
本発明は、電子カルテシステムへの登録画像候補の抽出プログラム、抽出装置及び抽出方法に関する。
【背景技術】
【０００２】
従来、病院及び診療所等の医療機関において患者の患部を示す画像を所見として記録する場合、該患部をアナログカメラで撮影し、現像して得られる写真をカルテに添付していた。
【０００３】
これに対し、近年、紙のカルテを電子的なシステムに置き換えた電子カルテシステムや、医療現場でのデジタルカメラの普及に伴い、デジタルカメラによる撮像によって得られた電子データ（画像ファイル）を電子カルテシステムに保存するようになってきた。
【０００４】
この電子カルテシステムによる画像ファイルの保存は一般に以下の手順で行われる。
【０００５】
まず、デジタルカメラで患者の患部を連続的に撮像し、該デジタルカメラを電子カルテシステムが動作する端末装置に接続する。次に、該当する患者を特定するための情報と共に、撮像によって得られた画像のサムネイル（Thumbnail）をディスプレイ装置によって一覧表示する。そして、医師や看護師等は、一覧表示されたサムネイルから該当する患者の患部を撮像した画像を選択し、電子カルテシステムへの登録を行う。
【０００６】
このように、従来、複数の画像から所望の画像を特定して抽出する作業は人手により行うことが多く、非常に手間がかかるものであった。また、対象とする画像は患者の治療に用いられるものであるため、患者と該患者に関する画像とを取り違えることは許されず、複数の画像から該当する画像を選択する際には慎重のうえにも慎重を期する必要があり、より手間がかかるものであった。
【０００７】
そこで、従来、複数の画像から特定の画像を選択することを支援することのできる技術として、デジタルカメラの撮像部を用いて撮像画像データを分類するための分類情報として使用する分類用画像データを取得する技術が提案されている。この技術では、撮像画像データと該分類情報とを関連付けて記憶媒体に記録し、該分類情報に基づいて撮像画像データをグループ化して表示する。
【０００８】
また、従来、被写体画像とその被写体に関連する情報を結びつけて記録するための技術として、バーコードを撮像して該バーコードにより示されるＩＤ（Identification）に対応する実体情報を外部のＩＤデータベースから取得し、該実体情報を画面表示する技術も提案されている。この技術では、患者ＩＤと患部の写真とを対応付けた患部ファイルを生成する。
【０００９】
さらに、従来、撮像画像に被写体の識別情報を関連付けて記録する際に、該識別情報の入力の簡略化を図るための技術として、患者ＩＤを示すバーコードをバーコードリーダで読み取る技術も提案されている。この技術では、読み取った患者ＩＤに対応する患者情報を医療データベースから取得し、カメラに患者情報を取り込んで確認した上で、患者ＩＤに対応する患者の患部の写真を撮像し、該患部の写真の画像ファイルにヘッダ情報として患者ＩＤを埋め込む。
【先行技術文献】
【特許文献】
【００１０】
【特許文献１】特開２００７−６５８９７号公報
【特許文献２】国際公開第２００６／０３５７８８号公報
【特許文献３】特開２００２−２３２７６１号公報
【発明の概要】
【発明が解決しようとする課題】
【００１１】
しかしながら、上記分類情報に基づいて撮像画像データをグループ化して表示する技術を、撮像された患者の画像を電子カルテシステムに登録する技術に適用する場合、対象とする患者を特定するために該患者そのものを予め撮像しておく必要がある。このため、この技術では、患者に関して撮像された画像を電子カルテシステムに登録する作業を、必ずしも効果的に支援することができるとは限らなかった。
【００１２】
また、上記バーコードにより示されるＩＤに対応する実体情報を外部のＩＤデータベースから取得し、画面表示する技術においても、患者ＩＤと患部の写真とを対応付けた患部ファイルを生成する必要がある。このため、この技術でも、患者に関して撮像された画像を電子カルテシステムに登録する作業を、必ずしも効果的に支援することができるとは限らなかった。
【００１３】
さらに、上記患者ＩＤを示すバーコードをバーコードリーダで読み取る技術においても、患部の写真の画像ファイルにヘッダ情報として患者ＩＤを埋め込む必要がある。このため、この技術においても、患者に関して撮像された画像を電子カルテシステムに登録する作業を、必ずしも効果的に支援することができるとは限らなかった。
【００１４】
本発明は、一つの側面として、患者に関して撮像された画像を電子カルテシステムに登録する作業を効果的に支援することができるようにすることを目的とする。
【課題を解決するための手段】
【００１５】
１つの態様では、カメラにより順次撮像された一連の撮像画像を取得する処理をコンピュータに行わせる。また、前記一連の撮像画像のうち、電子カルテシステムに登録された特定の患者に対応する識別情報が画像中に検知される撮像画像を特定する処理をコンピュータに行わせる。また、前記一連の撮像画像のうち、特定した前記撮像画像の次の画像以降の画像を前記特定の患者の撮像画像の候補として抽出して表示する処理をコンピュータに行わせる。
【発明の効果】
【００１６】
一つの側面として、患者に関して撮像された画像を電子カルテシステムに登録する作業を効果的に支援することができる、という効果を有する。
【図面の簡単な説明】
【００１７】
【図１】実施形態に係る抽出装置の機能ブロック図である。
【図２】実施形態に係る抽出処理の説明に供する模式図である。
【図３】実施形態に係るカメラの内部データの一例を示す模式図である。
【図４】実施形態に係る診察券の一例を示す正面図である。
【図５】実施形態に係る診察券の他の例を示す正面図である。
【図６】実施形態に係るコンピュータの概略構成を示すブロック図である。
【図７】実施形態に係る電子カルテデータベース（ＤＢ）の一例を示す図表である。
【図８】実施形態に係る抽出処理の一例を示すフローチャートである。
【図９】実施形態に係る初期画面の一例を示す概略図である。
【図１０】実施形態に係るエラー対応画面の一例を示す概略図である。
【図１１】第１実施形態に係る画像絞り込み処理の一例を示すフローチャートである。
【図１２】実施形態に係る画像登録画面の一例を示す概略図である。
【図１３】実施形態に係る画像登録画面（警告表示を含む）の一例を示す概略図である。
【図１４】第２実施形態の説明に供する図であり、カメラの内部データの一例を示す模式図である。
【図１５】第２実施形態に係る画像絞り込み処理の一例を示すフローチャートである。
【図１６】第３実施形態の説明に供する図であり、カメラの内部データの一例を示す模式図である。
【図１７】第３実施形態に係る画像絞り込み処理の一例を示すフローチャートである。
【図１８】第４実施形態の説明に供する図であり、カメラの内部データの一例を示す模式図である。
【図１９】第４実施形態に係る画像絞り込み処理の一例を示すフローチャートである。
【図２０】実施形態に係る初期画面の他の例を示す概略図である。
【発明を実施するための形態】
【００１８】
以下、図面を参照して本発明の実施形態の例を詳細に説明する。
【００１９】
〔第１実施形態〕
【００２０】
図１には、本実施形態に係る抽出装置１０が示されている。図１に示すように、本実施形態に係る抽出装置１０は、取得部１１、特定部１２、抽出表示部１３、受付部１４、第２特定部１５、許容部１６、解除部１７及び電子カルテデータベース（ＤＢ）５０を備えている。
【００２１】
取得部１１は、カメラ２０により順次撮像された一連の撮像画像を取得する。なお、本実施形態では、カメラ２０として静止画像の撮像を行う、所謂デジタル電子スチルカメラを適用しているが、これに限定されるものではない。カメラ２０として、静止画像に加えて、動画像の撮像も行うことができるものを適用する形態としてもよいし、動画像の撮像のみを行うことができる、所謂デジタルビデオムービーを適用する形態としてもよい。また、本実施形態では、カメラ２０として、撮像に関する機能のみが搭載された撮影専用のカメラを用いているが、これに限定されるものではない。例えば、スマートフォン、ＰＤＡ（携帯情報端末、Personal Digital Assistant）等の撮像機能を有する情報端末装置をカメラ２０として適用する形態としてもよい。
【００２２】
特定部１２は、取得部１１によって取得された一連の撮像画像のうち、電子カルテシステム（具体的には、電子カルテＤＢ５０）に登録された特定の患者に対応する識別情報が画像中に検知される撮像画像を特定する。なお、本実施形態では、上記識別情報として、上記特定の患者に対して予め付与され、電子カルテＤＢ５０に登録された患者ＩＤを適用しているが、これに限定されるものではない。例えば、患者の氏名を上記識別情報として適用してもよい。
【００２３】
抽出表示部１３は、上記一連の撮像画像のうち、特定部１２によって特定された上記撮像画像と、他の患者に対応する識別情報が画像中に検知される撮像画像との間の１又は複数の撮像画像を上記特定の患者の撮像画像の候補として抽出して表示する。なお、本実施形態では、抽出表示部１３により、特定部１２によって特定した撮像画像、すなわち上記識別情報が画像中に検知される撮像画像も、上記撮像画像の候補として抽出した撮像画像の表示に合わせて表示する。
【００２４】
受付部１４は、電子カルテシステムにおいて、上記特定の患者について画像を追加登録する対象の項目の選択を受け付ける。なお、本実施形態では、上記項目として、電子カルテＤＢ５０に登録された顔、及び患部といった項目（図７も参照。）を適用しているが、これに限定されるものではない。例えば、患者の疾患の状態に応じて挙動が変化する部位（一例として、カロリックテストを行った際の眼球）等を上記項目として適用してもよい。但し、この場合、該部位の挙動の変化を映像として捉える必要があるため、動画像の撮像を行う必要がある。
【００２５】
第２特定部１５は、受付部１４によって受け付けられた項目に対応して電子カルテシステムに登録可能な画像枚数を特定する。なお、本実施形態では、上記登録可能な画像枚数として、電子カルテＤＢ５０に、対応する項目に関して撮像画像の登録可能な上限値として予め設定された許容枚数（図７も参照。）を適用しているが、これに限定されるものではない。例えば、電子カルテＤＢ５０とは別に受付部１４等によって外部から受け付けられた同様の許容枚数を上記登録可能な画像枚数として適用してもよい。
【００２６】
許容部１６は、第２特定部１５によって特定された画像枚数の範囲内で、抽出表示部１３によって表示された撮像画像の中から電子カルテシステムに登録する撮像画像の選択を許容する。このため、本実施形態に係る抽出表示部１３は、第２特定部１５によって特定された画像枚数と、電子カルテシステムに登録する撮像画像として選択済みの撮像画像の枚数との差分枚数を、電子カルテシステムに登録する撮像画像の選択に応じて順次、更新表示する。
【００２７】
一方、受付部１４は、電子カルテシステムに既に登録されており、かつ該登録を解除する撮像画像の選択を受け付ける。そして、解除部１７は、受付部１４によって選択が受け付けられた撮像画像の電子カルテシステムへの登録を解除する。
【００２８】
すなわち、本実施形態では、一例として図２に示すように、まず、医師や看護師等により、撮像対象とする患者が所持する診察券等の患者ＩＤカードや、該患者の問診票等の名前が記入された帳票といった、該患者に対応する識別情報が含まれるものをカメラ２０により撮像する。なお、ここで撮像された画像は、該画像に含まれる識別情報に対応する患者を特定するために用いられるため、後述する抽出処理（図８も参照。）において該識別情報が認識可能なサイズとなるようにカメラ２０により撮像する。
【００２９】
次に、本実施形態では、医師や看護師等により、上記患者の顔や患部等の必要箇所をカメラ２０により順次連続的に撮像する。なお、医師や看護師等は、以上の患者に対応する識別情報を含む画像の撮像、及びこれに引き続き該患者に対する必要箇所の撮像を複数の患者について連続的に行う。
【００３０】
以上により、一例として図３に示すように、カメラ２０に内蔵されたＳＤカード（登録商標）等の記録メディア２２には、患者の識別情報を含む撮像画像を示す画像データに引き続き、電子カルテＤＢ５０への登録候補となる患部等の撮像画像を示す１または複数の画像データが、患者毎に記録される。
【００３１】
なお、本実施形態では、一例として図４に示すように、所持する患者に対応する識別情報が２次元バーコード６２Ａとして印刷された診察券６０Ａを上記患者ＩＤカードとして適用しているが、これに限定されるものではない。例えば、一例として図５に示すように、所持する患者に対応する識別情報が１次元バーコード６２Ｂとして印刷された診察券６０Ｂを上記患者ＩＤカードとして適用する形態としてもよい。
【００３２】
また、本実施形態では、医師や看護師等により、予め定められたタイミングで、カメラ２０を抽出装置１０に接続し、カメラ２０の記録メディア２２から、撮像によって得られた画像データを抽出装置１０に転送する。そして、本実施形態に係る抽出装置１０では、転送された画像データを対象として、後述する抽出処理を実行する。
【００３３】
なお、抽出装置１０における取得部１１は本発明に係る取得部の一例であり、特定部１２は本発明に係る特定部の一例であり、抽出表示部１３は本発明に係る抽出表示部の一例である。また、抽出装置１０における受付部１４は本発明に係る受付部の一例であり、第２特定部１５は本発明に係る第２特定部の一例であり、許容部１６は本発明に係る許容部の一例であり、解除部１７は本発明に係る解除部の一例である。
【００３４】
抽出装置１０は、例えば図６に示すコンピュータ３０で実現することができる。コンピュータ３０はＣＰＵ（Central Processing Unit）３１、メモリ３２、記憶部３３、入力部３４、表示部３５、インタフェース（Ｉ／Ｆ）部３６を備えている。ＣＰＵ３１、メモリ３２、記憶部３３、入力部３４、表示部３５、Ｉ／Ｆ部３６はバス３９を介して互いに接続されている。Ｉ／Ｆ部３６には、カメラ２０が接続される。また、入力部３４には、キーボードの他、マウス等のポインティング・デバイスが含まれている。
【００３５】
また、記憶部３３はＨＤＤ（Hard Disk Drive）やフラッシュメモリ等によって実現することができる。記録媒体としての記憶部３３には、コンピュータ３０を抽出装置１０として機能させるための抽出プログラム３３Ａが記憶されている。ＣＰＵ３１は、抽出プログラム３３Ａを記憶部３３から読み出してメモリ３２に展開し、抽出プログラム３３Ａが有するプロセスを順次実行する。
【００３６】
抽出プログラム３３Ａは、取得プロセス３３Ａ１、特定プロセス３３Ａ２、抽出表示プロセス３３Ａ３、受付プロセス３３Ａ４、第２特定プロセス３３Ａ５、許容プロセス３３Ａ６及び解除プロセス３３Ａ７を有する。ＣＰＵ３１は、取得プロセス３３Ａ１を実行することで、図１に示す取得部１１として動作する。また、ＣＰＵ３１は、特定プロセス３３Ａ２を実行することで、図１に示す特定部１２として動作する。また、ＣＰＵ３１は、抽出表示プロセス３３Ａ３を実行することで、図１に示す抽出表示部１３として動作する。また、ＣＰＵ３１は、受付プロセス３３Ａ４を実行することで、図１に示す受付部１４として動作する。また、ＣＰＵ３１は、第２特定プロセス３３Ａ５を実行することで、図１に示す第２特定部１５として動作する。また、ＣＰＵ３１は、許容プロセス３３Ａ６を実行することで、図１に示す許容部１６として動作する。さらに、ＣＰＵ３１は、解除プロセス３３Ａ７を実行することで、図１に示す解除部１７として動作する。
【００３７】
これにより、抽出プログラム３３Ａを実行したコンピュータ３０が、抽出装置１０として機能することになる。なお、抽出プログラム３３Ａは本発明における抽出プログラムの一例である。
【００３８】
一方、記憶部３３には、電子カルテＤＢ記憶領域３３Ｂ及び画像データ記憶領域３３Ｃが設けられている。ＣＰＵ３１が、電子カルテＤＢ記憶領域３３Ｂに記憶されたデータをメモリ３２に展開することにより、電子カルテＤＢ５０が作成される。
【００３９】
図７には、本実施形態に係る電子カルテＤＢ５０の構成の一例が示されている。図７に示すように、本実施形態に係る電子カルテＤＢ５０は、患者ＩＤ、氏名、日付、診察関連情報及び画像データ関連情報の各情報が記憶される。
【００４０】
患者ＩＤは、患者を個人別に特定するための情報であり、患者毎に個別の情報が割り当てられる。また、氏名は、対応する患者ＩＤが割り当てられた患者の氏名を示す情報であり、日付は、対応する患者に対して診察を行った日付を示す情報である。また、診察関連情報は、対応する患者に対して、対応する日付に行った診察に関する情報であり、画像データ関連情報は、対応する患者に対して、対応する日付に行った診察時にカメラ２０によって撮像された画像に関する情報である。
【００４１】
一方、図７に示すように、画像データ関連情報には、項目、許容枚数及び画像データの各情報が含まれる。
【００４２】
項目は、対応する画像データにより示される撮像画像における被写体の種類を示す情報であり、許容枚数は、対応する項目の画像データの電子カルテＤＢ５０に記憶（登録）することができる上限の枚数を示す情報である。また、画像データは、医師や看護師等によって撮像され、選択された撮像画像を特定するための情報である。本実施形態では、画像データそのものはコンピュータ３０の記憶部３３の画像データ記憶領域３３Ｃに記憶し、電子カルテＤＢ５０における画像データ関連情報の画像データとして、画像データ記憶領域３３Ｃの対応する画像データに対するリンク情報を記憶する。
【００４３】
図７に示す例では、画像データ関連情報に「顔」、「患部」等の項目が含まれていることを示している。また、図７に示す例では、患者の顔に対する撮像によって得られた画像データの電子カルテＤＢ５０への登録許容枚数が１枚のみであり、患者の患部に対する撮像によって得られた画像データの電子カルテＤＢ５０への登録許容枚数が５枚であることを示している。また、図７に示す例では、患者ＩＤとして「１０００１」が付与された患者に対する診察において、該患者の顔をカメラ２０で撮像することにより得られ、かつ電子カルテＤＢ５０に登録した画像データのリンク先が「リンク先１−１」であることを示している。
【００４４】
このように、本実施形態では、電子カルテＤＢ５０への画像データの登録を、該画像データのリンク先を示すリンク情報を登録することにより行っているが、これに限定されるものではない。例えば、画像データそのものを電子カルテＤＢ５０に登録する形態としてもよい。この場合、該画像データを診察に可能な範囲内で圧縮して登録することが好ましい。
【００４５】
なお、抽出装置１０は、パーソナル・コンピュータ（ＰＣ：Personal Computer）、またはＰＤＡの機能を搭載した携帯型の抽出装置であるスマート端末等であってもよい。また、抽出装置１０は、例えば半導体集積回路、より詳しくはＡＳＩＣ（Application Specific Integrated Circuit）等で実現することも可能である。
【００４６】
次に、本実施形態の作用を説明する。本実施形態では、コンピュータ３０によって抽出プログラム３３Ａを実行させることで、図８に示す抽出処理が行われる。以下、該抽出処理について説明する。
【００４７】
本実施形態に係るコンピュータ３０の医師、看護師等のユーザは、この抽出処理の実行に先立ち、前述したように、患者が所持する診察券６０Ａをカメラ２０によって撮像する。次に、ユーザは、診察券６０Ａの撮像に引き続き、該患者の顔や患部等の必要箇所をカメラ２０により連続的に撮像する。ユーザは、以上の撮像を、必要に応じて他の患者についても連続的に行う。
【００４８】
そして、ユーザは、予め定められたタイミング（本実施形態では、当日予定されている患者に対する撮像を伴う診察が終了したタイミング）で、カメラ２０をコンピュータ３０のＩ／Ｆ部３６に接続し、カメラ２０の記録メディア２２から、当日の撮像によって得られた画像データをコンピュータ３０に転送する。これにより、コンピュータ３０の記憶部３３における画像データ記憶領域３３Ｃには、該画像データが記憶される。
【００４９】
以上のユーザによる事前準備の後、コンピュータ３０によって抽出プログラム３３Ａを実行させることで、図８に示す抽出処理が行われる。なお、錯綜を回避するため、ここでは、電子カルテＤＢ５０における、処理対象とする患者（以下、「処理対象患者」という。）に関する「患者ＩＤ」、「氏名」、「日付」及び「診察関連情報」の各情報が既に登録されている場合について説明する。また、錯綜を回避するため、ここでは、一人の患者につき、１日に１回のみ診察を行うものとして説明する。
【００５０】
抽出処理のステップ１００において、特定部１２は、予め定められた初期画面を表示するように表示部３５を制御し、次のステップ１０２において、特定部１２は、所定情報の入力待ちを行う。
【００５１】
図９には、本実施形態に係る初期画面が示されている。図９に示すように、本実施形態に係る初期画面では、患者ＩＤを入力するための入力領域３５Ａが、患者ＩＤの入力を促すメッセージと共に表示される。
【００５２】
図９に示す初期画面が表示部３５に表示されると、ユーザは、初期画面の入力領域３５Ａに対して、処理対象患者に予め付与された患者ＩＤを、入力部３４により入力した後、初期画面に表示されている「終了」ボタン３５Ｂを入力部３４により指定する。「終了」ボタン３５Ｂが指定されると、上記ステップ１０２が肯定判定となってステップ１０４に移行する。
【００５３】
ステップ１０４において、特定部１２は、電子カルテＤＢ５０から、既に登録されている全ての患者ＩＤ、及び初期画面上で入力された患者ＩＤに関する全ての情報を読み出す。次のステップ１０６において、取得部１１は、記憶部３３の画像データ記憶領域３３Ｃから上記事前準備によって記憶された全ての画像データ（以下、「処理対象画像データ」という。）を読み出す。
【００５４】
ステップ１０８において、特定部１２は、処理対象画像データにより示される全ての撮像画像から、上記ステップ１０４の処理によって読み出した患者ＩＤ（識別情報）が画像中に検知される撮像画像の特定を試みる。
【００５５】
すなわち、前述したように、本実施形態では、各患者に対してカメラ２０による撮像を行うのに先立ち、カメラ２０により撮像対象とする患者が所持する診察券６０Ａを撮像している。そこで、ステップ１０８では、この診察券６０Ａに含まれ、かつ電子カルテＤＢ５０から読み出した患者ＩＤを示す２次元バーコード６２Ａが含まれる撮像画像の特定を試みる。なお、この際の患者ＩＤを示す２次元バーコード６２Ａが含まれる撮像画像の特定は、従来既知の画像認識技術、より具体的にはバーコード認識技術を用いることにより実現することができる。
【００５６】
また、特定部１２は、何れかの患者ＩＤが画像中に検知される撮像画像の特定を行うことができた場合には、該患者ＩＤと、該撮像画像を個別に識別するための情報と、を関連付けてメモリ３２の所定領域に記憶する。なお、本実施形態では、上記撮像画像を個別に識別するための情報として該撮像画像の画像ファイル名を適用しているが、これに限定されるものではない。例えば、各撮像画像に個別に名称を付与しておき、該名称を、上記撮像画像を個別に識別するための情報として適用する形態としてもよい。以下、上記撮像画像を個別に識別するための情報を、「個別識別情報」という。
【００５７】
ステップ１１０において、特定部１２は、ステップ１０８の処理によって、初期画面上で入力された患者ＩＤ、すなわち処理対象患者の患者ＩＤが画像中に検知される撮像画像（以下、「識別画像」という。）が特定できたか否かを判定する。ここで、否定判定となった場合はステップ１１２に移行して、予め定められたエラー処理を実行し、その後に後述するステップ１１６に移行する。
【００５８】
本実施形態では、上記エラー処理として、一例として図１０に示すエラー対応画面を用いた処理を適用している。すなわち、本エラー処理では、処理対象画像データにより示される全ての撮像画像のサムネイルを表示部３５により一覧表示させ、その中から処理対象患者を撮像した画像をユーザに対して入力部３４により指定させる処理を行う。この際、ユーザは、サムネイルの各々を参照し、撮像されている部位の種類や、該部位の状態、何れかの患者の診察券６０Ａの画像が含まれる場合の該診察券６０Ａに印刷されている氏名等を手がかりとして、処理対象患者に対する撮像画像を特定し、指定する。但し、この形態に限らず、例えば、処理対象患者の患者ＩＤが検知できないために、その後の処理を行うことができない旨の表示を表示部３５によって行った後、本抽出処理を強制的に終了する形態等、他の形態としてもよい。
【００５９】
一方、ステップ１１０において肯定判定となった場合は、識別画像が特定できたと見なしてステップ１１４に移行し、抽出表示部１３は、図１１に示す画像絞り込み処理を行う。
【００６０】
画像絞り込み処理のステップ２００Ａにおいて、抽出表示部１３は、識別画像に時系列順で後続する撮像画像に、処理対象患者とは異なる患者の患者ＩＤが検知される撮像画像が存在するか否かを判定し、肯定判定となった場合はステップ２０２Ａに移行する。
【００６１】
ステップ２０２Ａにおいて、抽出表示部１３は、識別画像と、処理対象患者とは異なる患者の患者ＩＤが検知される撮像画像との間の撮像画像を、処理対象患者の撮像画像（以下、「対象患者画像」という。）の候補として抽出する。そして、抽出表示部１３は、抽出した対象患者画像の個別識別情報（本実施形態では、画像ファイル名）をメモリ３２の所定領域に記憶した後、本画像絞り込み処理を終了する。
【００６２】
一方、ステップ２００Ａにおいて否定判定となった場合は、処理対象患者に対する撮像以降には他の患者に対する撮像を行っていないと見なしてステップ２０４Ａに移行する。ステップ２０４Ａにおいて、抽出表示部１３は、識別画像に時系列順で後続する全ての撮像画像を上記対象患者画像の候補として抽出し、抽出した対象患者画像の個別識別情報をメモリ３２の所定領域に記憶した後、本画像絞り込み処理を終了する。画像絞り込み処理が終了すると、抽出処理のステップ１１６に移行する。
【００６３】
ステップ１１６において、抽出表示部１３は、以上の画像絞り込み処理により得られた個別識別情報に基づいて、所定フォーマットとされた画像登録画面を表示するように表示部３５を制御し、ステップ１１８において、受付部１４は、所定情報の入力待ちを行う。
【００６４】
図１２には、本実施形態に係る画像登録画面が示されている。図１２に示すように、本実施形態に係る画像登録画面では、上記初期画面上で入力された患者ＩＤが表示されると共に、該患者ＩＤが付与された患者の氏名が表示される。なお、該患者の氏名は、ステップ１０４の処理によって電子カルテＤＢ５０から読み出した情報から得ることができる。
【００６５】
また、本実施形態に係る画像登録画面では、電子カルテＤＢ５０に登録する撮像画像の項目である登録項目を指定するための指定領域３５Ｄが、対応する項目名及び登録可能枚数を示す情報と共に表示される。
【００６６】
なお、上記登録項目は、電子カルテＤＢ５０の「項目」に対応する情報であり、上記登録可能枚数は、対応する項目について、これ以降、電子カルテＤＢ５０に追加登録することのできる撮像画像の枚数を示す情報である。従って、本抽出処理の実行が開始されてから最初に画像登録画面が表示される際には、上記登録可能枚数として、電子カルテＤＢ５０の画像データ関連情報における「許容枚数」の値が表示される。図１２に示す例では、「登録項目」として、「顔」、「患部」等の項目名が指定領域３５Ｄと共に表示されると共に、「登録可能枚数」として、「顔」について「１枚」が表示され、「患部」について「５枚」が表示されている。この場合、この時点において、「顔」の撮像画像が１枚のみ追加登録でき、「患部」の撮像画像は５枚まで追加登録できる。
【００６７】
さらに、本実施形態に係る画像登録画面では、識別画像のサムネイルが表示されると共に、該識別画像に後続して、全ての対象患者画像のサムネイルが撮像された時系列の順に一覧表示される。なお、図１２に示す例では１０個のサムネイル３５Ｃが表示されているが、本実施形態では、表示対象とするサムネイル３５Ｃが１０個より多い場合には、サムネイル３５Ｃの表示領域において各サムネイル３５Ｃをスクロール表示するようにしている。
【００６８】
なお、この際、抽出表示部１３は、既に電子カルテＤＢ５０に登録されている撮像画像のサムネイル３５Ｃについては、他のサムネイル３５Ｃとは異なる第１状態（本実施形態では、画像全体に網掛け表示が施された状態）で表示するように表示部３５を制御する。このように、登録済みの撮像画像のサムネイル３５Ｃと未登録の撮像画像のサムネイル３５Ｃとを異なる状態で表示することにより、ユーザは、登録済みの撮像画像と、未登録の撮像画像とを容易に識別することができる。図１２では、上段中央部のサムネイル３５Ｃにより示される撮像画像と、下段左端部のサムネイル３５Ｃにより示される撮像画像とが、電子カルテＤＢ５０に既に登録されている場合の表示状態の一例が示されている。
【００６９】
図１２に示す画像登録画面が表示部３５に表示されると、ユーザは、撮像画像を電子カルテＤＢ５０に新たに登録したい場合は、まず、該撮像画像を登録する項目（以下、「対象項目」という。）に対応する指定領域３５Ｄを入力部３４により指定する。次に、ユーザは、指定した対象項目について登録したい撮像画像を示すサムネイル３５Ｃを入力部３４により指定し、その後に画像登録画面の下端部に表示されている「画像指定」ボタン３５Ｅを入力部３４により指定する。なお、この際、抽出表示部１３は、ユーザによって指定されたサムネイル３５Ｃを、上記第１状態とは異なる第２状態（本実施形態では、画像全体がリバース表示とされた状態）で表示するように表示部３５を制御する。このように、ユーザによって新たに登録するために指定されたサムネイル３５Ｃと、他のサムネイル３５Ｃとを異なる状態で表示することにより、ユーザは、自身が指定したサムネイル３５Ｃと、他のサムネイル３５Ｃとを容易に識別することができる。図１２では、ユーザによって撮像画像を登録する対象項目として「患部」が指定された場合の表示状態の一例が示されている。
【００７０】
また、ユーザは、既に電子カルテＤＢ５０に登録されている撮像画像の何れかの登録を解除したい場合は、該撮像画像を示すサムネイル３５Ｃを入力部３４により指定し、その後に「画像指定」ボタン３５Ｅを入力部３４により指定する。なお、この際、抽出表示部１３は、ユーザによって指定されたサムネイル３５Ｃについては、上記第１状態及び上記第２状態とは異なる第３状態（本実施形態では、画像全体をブリンク表示とする状態）で表示するように表示部３５を制御する。このように、登録を解除したい撮像画像のサムネイル３５Ｃと、他の撮像画像のサムネイル３５Ｃとを異なる状態で表示することにより、ユーザは、登録を解除するべく指定したサムネイル３５Ｃと、他のサムネイル３５Ｃとを容易に識別することができる。
【００７１】
さらに、ユーザは、本抽出処理を終了させる場合は、画像登録画面の下端部に表示されている「処理終了」ボタン３５Ｆを入力部３４により指定する。ユーザによって「画像指定」ボタン３５Ｅが指定されるか、または「処理終了」ボタン３５Ｆが指定されると、上記ステップ１１８が肯定判定となってステップ１２０に移行する。
【００７２】
ステップ１２０において、抽出表示部１３は、ユーザによって電子カルテＤＢ５０に新たに登録したい撮像画像のサムネイル３５Ｃ、または電子カルテＤＢ５０への登録を解除したい撮像画像のサムネイル３５Ｃが指定されたか否かを判定する。なお、この判定は、「画像指定」ボタン３５Ｅが指定されたか否かを判定することにより行うことができる。
【００７３】
ステップ１２０において肯定判定となった場合はステップ１２２に移行し、指定されたサムネイル３５Ｃにより示される撮像画像に、電子カルテＤＢ５０に登録されている撮像画像が含まれているか否かを判定し、肯定判定となった場合はステップ１２４に移行する。
【００７４】
ステップ１２４において、解除部１７は、ユーザによって指定されたサムネイル３５Ｃを示し、かつ電子カルテＤＢ５０に登録されている撮像画像の電子カルテＤＢ５０への登録を解除し、その後にステップ１２６に移行する。この際の登録の解除は、登録を解除する撮像画像に対するリンク情報を電子カルテＤＢ５０から消去することにより行うことができる。ここで、抽出表示部１３は、電子カルテＤＢ５０への登録を解除した撮像画像に対応する画像登録画面のサムネイル３５Ｃの表示状態を第１状態から通常の状態に戻す。一方、ステップ１２２において否定判定となった場合は、ステップ１２４の処理を実行することなくステップ１２６に移行する。
【００７５】
ステップ１２６において、抽出表示部１３は、指定されたサムネイル３５Ｃにより示される撮像画像に、電子カルテＤＢ５０に未登録の撮像画像が含まれているか否かを判定し、肯定判定となった場合はステップ１２８に移行する。なお、ここで否定判定となった場合はステップ１１６に戻る。
【００７６】
ステップ１２８において、第２特定部１５は、この時点において電子カルテＤＢ５０における処理対象患者の対象項目について追加登録することのできる撮像画像の枚数、すなわち、登録可能枚数を特定する。本実施形態では、登録可能枚数の特定を、電子カルテＤＢ５０における処理対象患者の対象項目に対応する許容枚数から、この時点で該処理対象患者の対象項目について記憶されているリンク情報の数、すなわち登録済みの撮像画像の枚数を減算することにより行う。ここで、抽出表示部１３は、画像登録画面の対象項目に対応する「登録可能枚数」の表示を、特定した登録可能枚数に更新する。
【００７７】
ステップ１３０において、許容部１６は、特定した登録可能枚数が、ユーザによって電子カルテＤＢ５０に追加登録するために指定されたサムネイル３５Ｃの枚数以上であるか否かを判定し、肯定判定となった場合はステップ１３２に移行する。ステップ１３２において、許容部１６は、ユーザによって追加登録するために指定されたサムネイル３５Ｃに対応する撮像画像の画像データに対するリンク情報を、電子カルテＤＢ５０の処理対象患者の対象項目に対応する空き記憶領域に記憶する。この処理により、ユーザによって追加登録するために指定された撮像画像が、電子カルテＤＢ５０における、処理対象患者に関する情報に関連付けられた状態で、電子カルテＤＢ５０に登録される。
【００７８】
一方、ステップ１３０において否定判定となった場合は、対象項目に対して設定されている撮像画像の許容枚数を超えて撮像画像を登録しようとしていると見なしてステップ１３４に移行し、許容部１６は、予め定められた警告処理を実行し、その後にステップ１１６に戻る。なお、本実施形態では、該警告処理として、一例として図１３に示すように、許容枚数を超えて撮像画像を登録しようとしていることを警告する情報（図１３に示す例では、「患部の写真画像の登録は５枚までです。」との情報）を表示部３５により所定時間（本実施形態では、３秒間）表示する処理を適用している。但し、これに限らず、例えば、この情報の表示に加えて、ブザー音等を鳴動させる形態、強制的に本抽出処理を終了する形態等としてもよい。
【００７９】
以上の警告処理によって、ユーザは、電子カルテＤＢ５０への登録可能枚数を超えて撮像画像を登録しようとしていることを把握することができる。そして、この場合、ユーザは、撮像画像の電子カルテＤＢ５０への登録を断念する場合は画像登録画面の「処理終了」ボタン３５Ｆを指定する。また、ユーザは、電子カルテＤＢ５０に登録するために指定したサムネイル３５Ｃの一部のサムネイル３５Ｃに対応する撮像画像の登録を行う場合は、該一部のサムネイル３５Ｃを指定した後に「画像指定」ボタン３５Ｅを指定する。また、ユーザは、電子カルテＤＢ５０に登録した撮像画像の少なくとも一部を解除して改めて他の撮像画像の登録を行う場合には、解除する登録済みの撮像画像及び新たに登録する撮像画像の各サムネイル３５Ｃを指定した後に「画像指定」ボタン３５Ｅを指定する。
【００８０】
一方、ステップ１２０において否定判定となった場合は、ユーザによって「処理終了」ボタン３５Ｆが指定されたと見なして本抽出表示を終了する。
【００８１】
以上、詳細に説明したように、本実施形態では、カメラにより順次撮像された一連の撮像画像を取得し、該一連の撮像画像のうち、電子カルテシステムに登録された特定の患者に対応する識別情報（本実施形態では、患者ＩＤ）が画像中に検知される撮像画像を特定する。また、本実施形態では、上記一連の撮像画像のうち、特定した撮像画像の次の画像以降の画像を上記特定の患者の撮像画像の候補として抽出して表示する。これにより、前述した従来の技術に比較して、より効果的に、患者に関して撮像された画像を電子カルテシステムに登録する作業を支援することができる。
【００８２】
特に、本実施形態では、上記一連の撮像画像のうち、特定した撮像画像と、他の患者に対応する識別情報が画像中に検知される撮像画像との間の１又は複数の撮像画像を上記特定の患者の撮像画像の候補として抽出して表示する。これにより、複数の患者を連続して撮像する場合にも対応することができる。
【００８３】
なお、顔や患部等の必要箇所の全ての撮像を、対象とする患者の識別情報が写り込む状態で行うことにより、各撮像画像を個別に識別可能とする形態も考えられるが、この形態では、撮像対象の状態によっては識別情報を写し込むことが困難である場合がある。例えば、撮像対象とする患者や患部が撮像時に動いてしまう場合や、撮像対象が患部であり、該患部に対する撮像範囲が比較的広く、撮像画像内の識別情報が小さくなりすぎてしまう場合等である。これに対し、本実施形態では、必要箇所の各撮像画像に識別情報を写し込む必要がないため、より効果的に、患者に関して撮像された画像を電子カルテシステムに登録する作業を支援することができる。
【００８４】
また、本実施形態では、特定した撮像画像も、抽出した撮像画像の候補の表示に合わせて表示しているので、該特定した撮像画像を患者の特定に用いることができる結果、より効果的に上記登録する作業を支援することができる。
【００８５】
また、本実施形態では、上記識別情報を、１次元バーコード又は２次元バーコードにより表しているので、従来既知の技術によって容易に識別情報を特定することができる。
【００８６】
また、本実施形態では、電子カルテシステムにおいて、特定の患者について画像を追加登録する対象の項目の選択を受け付け、該項目に対応して登録可能な画像枚数を特定する。また、本実施形態では、特定した画像枚数の範囲内で、表示された撮像画像の中から電子カルテシステムに登録する撮像画像の選択を許容している。これにより、電子カルテシステムに登録する撮像画像の枚数を制限することができる。
【００８７】
また、本実施形態では、特定した画像枚数と、電子カルテシステムに登録撮像画像として選択済みの撮像画像の枚数との差分枚数（本実施形態では、登録可能枚数）を、電子カルテシステムに登録する撮像画像の選択に応じて順次、更新表示している。これにより、ユーザにとっての利便性を向上させることができる。
【００８８】
また、本実施形態では、上記識別情報が画像中に検知される撮像画像を特定できない場合、予め定められた警告処理（本実施形態では、エラー処理）を実行しているので、より効果的に上記登録する作業を支援することができる。
【００８９】
また、本実施形態では、電子カルテシステムに既に登録されており、かつ該登録を解除する撮像画像の選択を受け付ける。そして、本実施形態では、選択された撮像画像の電子カルテシステムへの登録を解除している。これにより、より重要な撮像画像に登録する画像を置き換えることができ、より利便性を向上させることができる。
【００９０】
また、本実施形態では、上記識別情報を、患者に配布された診察券に記載されている該患者を特定可能な情報（本実施形態では、患者ＩＤ）としているので、識別情報を新たな部材等に設ける必要がなく、新たな費用の発生を抑制することができる。
【００９１】
また、本実施形態では、撮像画像として静止画像及び動画像の少なくとも一方を適用しているので、静止画像を適用する場合は、動画像を適用する場合に比較して、より高画質な画像を登録することができる。また、動画像を適用する場合は、静止画像を適用する場合に比較して、動きのある画像を登録することができる。
【００９２】
さらに、本実施形態では、特定の患者の撮像画像の候補をサムネイルとして表示しているので、より多くの撮像画像を一度に表示することができ、より利便性を向上させることができる。
【００９３】
〔第２実施形態〕
【００９４】
次に本発明の第２実施形態について説明する。なお、本第２実施形態に係る抽出装置１０及びコンピュータ３０の構成は上記第１実施形態と同様であるので、ここでの説明は省略する。
【００９５】
以下、本第２実施形態の作用を説明する。本第２実施形態でも、コンピュータ３０によって抽出プログラム３３Ａを実行させることで、図８に示す抽出処理が行われる。
【００９６】
本第２実施形態に係るコンピュータ３０の医師、看護師等のユーザは、この抽出処理の実行に先立ち、患者の顔や患部等の必要箇所をカメラ２０により連続的に撮像する。次に、ユーザは、該必要箇所の撮像に引き続き、該患者が所持する診察券６０Ａをカメラ２０によって撮像する。ユーザは、以上の撮像を、必要に応じて他の患者についても連続的に行う。
【００９７】
そして、ユーザは、予め定められたタイミング（本実施形態では、当日予定されている患者に対する撮像を伴う診察が終了したタイミング）で、カメラ２０をコンピュータ３０のＩ／Ｆ部３６に接続し、カメラ２０の記録メディア２２から、当日の撮像によって得られた画像データをコンピュータ３０に転送する。これにより、コンピュータ３０の記憶部３３における画像データ記憶領域３３Ｃには、該画像データが記憶される。
【００９８】
この場合、一例として図１４に示すように、記録メディア２２には、電子カルテＤＢ５０への登録候補となる患部等の撮像画像を示す１又は複数の画像データに引き続き、患者の識別情報を含む撮像画像を示す画像データが、患者毎に記録される。
【００９９】
以上のユーザによる事前準備の後、コンピュータ３０によって抽出プログラム３３Ａを実行させることで、図８に示す抽出処理が行われる。但し、本第２実施形態に係る抽出処理は、上記第１実施形態に係る抽出処理に対して、ステップ１１４の画像絞り込み処理が図１５に示されるものとされている点が相違している。
【０１００】
以下、本第２実施形態に係る画像絞り込み処理について説明する。
【０１０１】
該画像絞り込み処理のステップ２００Ｂにおいて、抽出表示部１３は、識別画像に時系列順で先行する撮像画像に、処理対象患者とは異なる患者の患者ＩＤが検知される撮像画像が存在するか否かを判定し、肯定判定となった場合はステップ２０２Ｂに移行する。
【０１０２】
ステップ２０２Ｂにおいて、抽出表示部１３は、識別画像と、該識別画像に時系列順で先行し、かつ処理対象患者とは異なる患者の患者ＩＤが検知される撮像画像との間の撮像画像を、対象患者画像の候補として抽出する。そして、抽出表示部１３は、抽出した対象患者画像の個別識別情報（本実施形態でも、画像ファイル名）をメモリ３２の所定領域に記憶した後、本画像絞り込み処理を終了する。
【０１０３】
一方、ステップ２００Ｂにおいて否定判定となった場合は、処理対象患者に対する撮像以前には他の患者に対する撮像を行っていないと見なしてステップ２０４Ｂに移行する。ステップ２０４Ｂにおいて、抽出表示部１３は、識別画像に時系列順で先行する全ての撮像画像を上記対象患者画像の候補として抽出し、抽出した対象患者画像の個別識別情報をメモリ３２の所定領域に記憶した後、本画像絞り込み処理を終了する。画像絞り込み処理が終了すると、抽出処理のステップ１１６に移行する。
【０１０４】
以上、詳細に説明したように、本実施形態では、カメラにより順次撮像された一連の撮像画像を取得し、該一連の撮像画像のうち、電子カルテシステムに登録された特定の患者に対応する識別情報が画像中に検知される撮像画像を特定する。そして、本実施形態では、上記一連の撮像画像のうち、特定した撮像画像の前の画像までを上記特定の患者の撮像画像の候補として抽出して表示する。これにより、上記第１実施形態とほぼ同様の効果を奏することができる。
【０１０５】
〔第３実施形態〕
【０１０６】
次に本発明の第３実施形態について説明する。なお、本第３実施形態に係る抽出装置１０及びコンピュータ３０の構成も上記第１実施形態と同様であるので、ここでの説明は省略する。
【０１０７】
以下、本第３実施形態の作用を説明する。本第３実施形態でも、コンピュータ３０によって抽出プログラム３３Ａを実行させることで、図８に示す抽出処理が行われる。
【０１０８】
本第３実施形態に係るコンピュータ３０の医師、看護師等のユーザは、この抽出処理の実行に先立ち、患者が所持する診察券６０Ａが画角内に含まれる状態で、該患者の顔や患部等の必要箇所の１カ所をカメラ２０により撮像する。これに引き続き、ユーザは、該患者の診察券６０Ａは画角内に含まれない状態で、該患者の顔や患部等の必要箇所をカメラ２０により連続的に撮像する。ユーザは、以上の撮像を、必要に応じて他の患者についても連続的に行う。
【０１０９】
そして、ユーザは、予め定められたタイミング（本実施形態では、当日予定されている患者に対する撮像を伴う診察が終了したタイミング）で、カメラ２０をコンピュータ３０のＩ／Ｆ部３６に接続し、カメラ２０の記録メディア２２から、当日の撮像によって得られた画像データをコンピュータ３０に転送する。これにより、コンピュータ３０の記憶部３３における画像データ記憶領域３３Ｃには、該画像データが記憶される。
【０１１０】
この場合、一例として図１６に示すように、記録メディア２２には、患者の識別情報が含まれ、かつ患部等の必要箇所を撮像した撮像画像を示す画像データに引き続き、該識別情報が含まれず、かつ患部等の撮像画像を示す画像データが、患者毎に記録される。
【０１１１】
以上のユーザによる事前準備の後、コンピュータ３０によって抽出プログラム３３Ａを実行させることで、図８に示す抽出処理が行われる。但し、本第３実施形態に係る抽出処理も、上記第１実施形態に係る抽出処理に対して、ステップ１１４の画像絞り込み処理が図１７に示されるものとされている点が相違している。
【０１１２】
以下、本第３実施形態に係る画像絞り込み処理について説明する。
【０１１３】
該画像絞り込み処理のステップ２００Ｃにおいて、抽出表示部１３は、識別画像に時系列順で後続する撮像画像に、処理対象患者とは異なる患者の患者ＩＤが検知される撮像画像が存在するか否かを判定し、肯定判定となった場合はステップ２０２Ｃに移行する。
【０１１４】
ステップ２０２Ｃにおいて、抽出表示部１３は、識別画像を含み、該識別画像から時系列順で後続し、かつ処理対象患者とは異なる患者の患者ＩＤが検知される撮像画像の時系列順で直前の撮像によって得られた撮像画像までを、対象患者画像の候補として抽出する。そして、抽出表示部１３は、抽出した対象患者画像の個別識別情報（本実施形態でも、画像ファイル名）をメモリ３２の所定領域に記憶した後、本画像絞り込み処理を終了する。
【０１１５】
一方、ステップ２００Ｃにおいて否定判定となった場合は、処理対象患者に対する撮像以降には他の患者に対する撮像を行っていないと見なしてステップ２０４Ｃに移行する。ステップ２０４Ｃにおいて、抽出表示部１３は、識別画像を含み、該識別画像に時系列順で後続する全ての撮像画像を対象患者画像の候補として抽出し、抽出した対象患者画像の個別識別情報をメモリ３２の所定領域に記憶した後、本画像絞り込み処理を終了する。画像絞り込み処理が終了すると、抽出処理のステップ１１６に移行する。
【０１１６】
以上、詳細に説明したように、本実施形態では、カメラにより順次撮像された一連の撮像画像を取得し、該一連の撮像画像のうち、電子カルテシステムに登録された特定の患者に対応する識別情報が画像中に検知される撮像画像を特定する。また、本実施形態では、上記一連の撮像画像のうち、特定した撮像画像以降の画像を上記特定の患者の撮像画像の候補として抽出して表示する。これにより、前述した従来の技術や上記第１実施形態に比較して、より効果的に、患者に関して撮像された画像を電子カルテシステムに登録する作業を支援することができる。
【０１１７】
特に、本実施形態では、上記一連の撮像画像のうち、特定した撮像画像から、他の患者に対応する識別情報が画像中に検知される撮像画像の直前の画像までの１又は複数の撮像画像を上記特定の患者の撮像画像の候補として抽出して表示する。これにより、複数の患者を連続して撮像する場合にも対応することができる。
【０１１８】
〔第４実施形態〕
【０１１９】
次に本発明の第４実施形態について説明する。なお、本第４実施形態に係る抽出装置１０及びコンピュータ３０の構成も上記第１実施形態と同様であるので、ここでの説明は省略する。
【０１２０】
以下、本第４実施形態の作用を説明する。本第４実施形態でも、コンピュータ３０によって抽出プログラム３３Ａを実行させることで、図８に示す抽出処理が行われる。
【０１２１】
本第４実施形態に係るコンピュータ３０の医師、看護師等のユーザは、この抽出処理の実行に先立ち、患者の顔や患部等の必要箇所をカメラ２０により連続的に撮像する。ここで、ユーザは、該必要箇所の最後の撮像において、該患者が所持する診察券６０Ａを画角内に含めた状態でカメラ２０により撮像する。ユーザは、以上の撮像を、必要に応じて他の患者についても連続的に行う。
【０１２２】
そして、ユーザは、予め定められたタイミング（本実施形態では、当日予定されている患者に対する撮像を伴う診察が終了したタイミング）で、カメラ２０をコンピュータ３０のＩ／Ｆ部３６に接続し、カメラ２０の記録メディア２２から、当日の撮像によって得られた画像データをコンピュータ３０に転送する。これにより、コンピュータ３０の記憶部３３における画像データ記憶領域３３Ｃには、該画像データが記憶される。
【０１２３】
この場合、一例として図１８に示すように、記録メディア２２には、患部等の撮像画像を示す画像データに引き続き、該患部等の画像、及び患者の識別情報が含まれる撮像画像を示す画像データが、患者毎に記録される。
【０１２４】
以上のユーザによる事前準備の後、コンピュータ３０によって抽出プログラム３３Ａを実行させることで、図８に示す抽出処理が行われる。但し、本第４実施形態に係る抽出処理も、上記第１実施形態に係る抽出処理に対して、ステップ１１４の画像絞り込み処理が図１９に示されるものとされている点が相違している。
【０１２５】
以下、本第４実施形態に係る画像絞り込み処理について説明する。
【０１２６】
該画像絞り込み処理のステップ２００Ｄにおいて、抽出表示部１３は、識別画像に時系列順で先行する撮像画像に、処理対象患者とは異なる患者の患者ＩＤが検知される撮像画像が存在するか否かを判定し、肯定判定となった場合はステップ２０２Ｄに移行する。
【０１２７】
ステップ２０２Ｄにおいて、抽出表示部１３は、識別画像を含み、該識別画像に時系列順で先行し、かつ処理対象患者とは異なる患者の患者ＩＤが検知される撮像画像の時系列順で直後の撮像によって得られた撮像画像までを、対象患者画像の候補として抽出する。そして、抽出表示部１３は、抽出した対象患者画像の個別識別情報（本実施形態でも、画像ファイル名）をメモリ３２の所定領域に記憶した後、本画像絞り込み処理を終了する。
【０１２８】
一方、ステップ２００Ｄにおいて否定判定となった場合は、処理対象患者に対する撮像以前には他の患者に対する撮像を行っていないと見なしてステップ２０４Ｄに移行する。ステップ２０４Ｄにおいて、抽出表示部１３は、識別情報を含み、該識別画像に時系列順で先行する全ての撮像画像を対象患者画像の候補として抽出し、抽出した対象患者画像の個別識別情報をメモリ３２の所定領域に記憶した後、本画像絞り込み処理を終了する。画像絞り込み処理が終了すると、抽出処理のステップ１１６に移行する。
【０１２９】
以上、詳細に説明したように、本実施形態では、カメラにより順次撮像された一連の撮像画像を取得し、該一連の撮像画像のうち、電子カルテシステムに登録された特定の患者に対応する識別情報が画像中に検知される撮像画像を特定する。そして、本実施形態では、上記一連の撮像画像のうち、特定した撮像画像までを上記特定の患者の撮像画像の候補として抽出して表示する。これにより、前述した従来の技術や上記第２実施形態に比較して、より効果的に、患者に関して撮像された画像を電子カルテシステムに登録する作業を支援することができる。
【０１３０】
なお、上記各実施形態では、登録項目を画像登録画面上で指定する場合を説明したが、これに限定されるものではない。例えば、一例として図２０に示すように、初期画面において登録項目を指定する形態としてもよい。この形態によっても、上記各実施形態と同様の効果を奏することができる。
【０１３１】
また、上記各実施形態では、識別情報をバーコードにより表した場合を説明したが、これに限定されるものではない。例えば、識別情報を示す文字、数字、記号等のそのものを識別情報として用いる形態としてもよい。この場合の識別情報を検知する形態例としては、該文字、数字、記号等を従来既知の文字認識技術により認識することによって検知する形態を例示することができる。
【０１３２】
また、上記各実施形態では、電子カルテＤＢ５０及び撮像によって得られた画像データをコンピュータ３０において保持する場合を説明したが、これに限定されるものではない。例えば、これらのデータを、コンピュータ３０にネットワーク等を介して接続された他の装置において保持するようにしてもよい。この場合、コンピュータ３０の記憶部３３に必要とされる記憶容量を低減することができるため、上記各実施形態に比較して、コンピュータ３０のコストを削減することができる。
【０１３３】
また、上記各実施形態では、抽出プログラム３３Ａを記憶部３３に予め記憶（インストール）しておく態様を説明したが、これに限定されるものではない。例えば、抽出プログラム３３Ａを、ＣＤ−ＲＯＭ（Compact Disc Read Only Memory）、ＤＶＤ−ＲＯＭ（Digital Versatile Disc ROM）等の記録媒体から媒体読み書き装置を介してコンピュータ３０の記憶部３３に読み込む形態としてもよく、ネットワークを介して外部装置から記憶部３３にダウンロードする形態としてもよい。
【０１３４】
また、上記各実施形態では、カメラ２０からコンピュータ３０に撮像画像を示す画像データを転送するタイミングとして、当日予定されている患者に対する撮像を伴う診察が終了したタイミングを適用した態様を説明したが、これに限定されるものではない。例えば、所定の人数の患者に対する撮像を伴う診察が終了したタイミング、各患者の各々毎に撮像を伴う診察が終了したタイミング、所定の日数分の撮像を伴う診察が終了したタイミング等を、上記画像データを転送するタイミングとして適用する形態としてもよい。
【０１３５】
また、上記各実施形態では、カメラ２０からコンピュータ３０への画像データの取り込みを、カメラ２０をコンピュータ３０に直接接続して行う態様を説明したが、これに限定されるものではない。例えば、ＳＤカード（登録商標）等の記録メディアを介して画像データの取り込みを行う形態としてもよい。
【０１３６】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【０１３７】
以上の各実施形態に関し、更に以下の付記を開示する。
【０１３８】
（付記１）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像の次の画像以降の画像を前記特定の患者の撮像画像の候補として抽出して表示する、
処理をコンピュータに実行させることを特徴とする電子カルテシステムへの登録画像候補の抽出プログラム。
【０１３９】
（付記２）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像の前の画像までを前記特定の患者の撮像画像の候補として抽出して表示する、
処理をコンピュータに実行させることを特徴とする電子カルテシステムへの登録画像候補の抽出プログラム。
【０１４０】
（付記３）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像と、他の患者に対応する識別情報が画像中に検知される撮像画像との間の１又は複数の撮像画像を前記特定の患者の撮像画像の候補として抽出して表示する、
処理をコンピュータに実行させることを特徴とする電子カルテシステムへの登録画像候補の抽出プログラム。
【０１４１】
（付記４）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像以降の画像を前記特定の患者の撮像画像の候補として抽出して表示する、
処理をコンピュータに実行させることを特徴とする電子カルテシステムへの登録画像候補の抽出プログラム。
【０１４２】
（付記５）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像までを前記特定の患者の撮像画像の候補として抽出して表示する、
処理をコンピュータに実行させることを特徴とする電子カルテシステムへの登録画像候補の抽出プログラム。
【０１４３】
（付記６）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像から、他の患者に対応する識別情報が画像中に検知される撮像画像の直前の画像までの１又は複数の撮像画像を前記特定の患者の撮像画像の候補として抽出して表示する、
処理をコンピュータに実行させることを特徴とする電子カルテシステムへの登録画像候補の抽出プログラム。
【０１４４】
（付記７）
特定した前記撮像画像も、抽出した前記撮像画像の候補の表示に合わせて表示する、
ことを特徴とする付記１〜付記６の何れか１項記載の抽出プログラム。
【０１４５】
（付記８）
前記患者を識別する識別情報は、前記患者の識別情報を示す１次元バーコード又は２次元バーコードにより表される情報である、
ことを特徴とする付記１〜付記７の何れか１項記載の抽出プログラム。
【０１４６】
（付記９）
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
ことを特徴とする付記１〜付記８の何れか１項記載の抽出プログラム。
【０１４７】
（付記１０）
特定した前記画像枚数と、前記電子カルテシステムに登録撮像画像として選択済みの撮像画像の枚数との差分枚数を、前記電子カルテシステムに登録する撮像画像の選択に応じて順次、更新表示する、
ことを特徴とする付記９記載の抽出プログラム。
【０１４８】
（付記１１）
前記識別情報が画像中に検知される撮像画像を特定できない場合、予め定められた警告処理を実行する、
ことを特徴とする付記１〜付記１０の何れか１項記載の抽出プログラム。
【０１４９】
（付記１２）
前記電子カルテシステムに既に登録されており、かつ該登録を解除する前記撮像画像の選択を受け付け、
選択された前記撮像画像の前記電子カルテシステムへの登録を解除する、
ことを特徴とする付記９または付記１０記載の抽出プログラム。
【０１５０】
（付記１３）
前記識別情報は、患者に配布された診察券に記載されている該患者を特定可能な情報である、
ことを特徴とする付記１〜付記１２の何れか１項記載の抽出プログラム。
【０１５１】
（付記１４）
前記撮像画像は、静止画像及び動画像の少なくとも一方を含む、
ことを特徴とする付記１〜付記１３の何れか１項記載の抽出プログラム。
【０１５２】
（付記１５）
前記特定の患者の撮像画像の候補をサムネイルとして表示する、
ことを特徴とする付記１〜付記１４の何れか１項記載の抽出プログラム。
【０１５３】
（付記１６）
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像の次の画像以降の画像を前記特定の患者の撮像画像の候補として抽出して表示する抽出表示部と、
を含むことを特徴とする電子カルテシステムへの登録画像候補の抽出装置。
【０１５４】
（付記１７）
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像の前の画像までを前記特定の患者の撮像画像の候補として抽出して表示する抽出表示部と、
を含むことを特徴とする電子カルテシステムへの登録画像候補の抽出装置。
【０１５５】
（付記１８）
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像と、他の患者に対応する識別情報が画像中に検知される撮像画像との間の１又は複数の撮像画像を前記特定の患者の撮像画像の候補として抽出して表示する抽出表示部と、
を含むことを特徴とする電子カルテシステムへの登録画像候補の抽出装置。
【０１５６】
（付記１９）
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像以降の画像を前記特定の患者の撮像画像の候補として抽出して表示する抽出表示部と、
を含むことを特徴とする電子カルテシステムへの登録画像候補の抽出装置。
【０１５７】
（付記２０）
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像までを前記特定の患者の撮像画像の候補として抽出して表示する抽出表示部と、
を含むことを特徴とする電子カルテシステムへの登録画像候補の抽出装置。
【０１５８】
（付記２１）
カメラにより順次撮像された一連の撮像画像を取得する取得部と、
前記一連の撮像画像のうち、電子カルテシステムに登録された特定の患者に対応する識別情報が画像中に検知される撮像画像を特定する特定部と、
前記一連の撮像画像のうち、特定した前記撮像画像から、他の患者に対応する識別情報が画像中に検知される撮像画像の直前の画像までの１又は複数の撮像画像を前記特定の患者の撮像画像の候補として抽出して表示する抽出表示部と、
を含むことを特徴とする電子カルテシステムへの登録画像候補の抽出装置。
【０１５９】
（付記２２）
前記抽出表示部は、特定した前記撮像画像も、抽出した前記撮像画像の候補の表示に合わせて表示する、
ことを特徴とする付記１６〜付記２１の何れか１項記載の抽出装置。
【０１６０】
（付記２３）
前記患者を識別する識別情報は、前記患者の識別情報を示す１次元バーコード又は２次元バーコードにより表される情報である、
ことを特徴とする付記１６〜付記２２の何れか１項記載の抽出装置。
【０１６１】
（付記２４）
前記電子カルテシステムにおいて、前記特定の患者について画像を追加登録する対象の項目の選択を受け付ける受付部と、
前記項目に対応して登録可能な画像枚数を特定する第２特定部と、
特定した前記画像枚数の範囲内で、表示された前記撮像画像の中から前記電子カルテシステムに登録する撮像画像の選択を許容する許容部と、
をさらに含むことを特徴とする付記１６〜付記２３の何れか１項記載の抽出装置。
【０１６２】
（付記２５）
前記抽出表示部は、特定した前記画像枚数と、前記電子カルテシステムに登録撮像画像として選択済みの撮像画像の枚数との差分枚数を、前記電子カルテシステムに登録する撮像画像の選択に応じて順次、更新表示する、
ことを特徴とする付記２４記載の抽出装置。
【０１６３】
（付記２６）
前記識別情報が画像中に検知される撮像画像を特定できない場合、予め定められた警告処理を実行する実行部、
をさらに含むことを特徴とする付記１６〜付記２５の何れか１項記載の抽出装置。
【０１６４】
（付記２７）
前記受付部は、前記電子カルテシステムに既に登録されており、かつ該登録を解除する前記撮像画像の選択を受け付け、
選択された前記撮像画像の前記電子カルテシステムへの登録を解除する解除部、
をさらに含むことを特徴とする付記２４または付記２５記載の抽出装置。
【０１６５】
（付記２８）
前記識別情報は、患者に配布された診察券に記載されている該患者を特定可能な情報である、
ことを特徴とする付記１６〜付記２７の何れか１項記載の抽出装置。
【０１６６】
（付記２９）
前記撮像画像は、静止画像及び動画像の少なくとも一方を含む、
ことを特徴とする付記１６〜付記２８の何れか１項記載の抽出装置。
【０１６７】
（付記３０）
前記抽出表示部は、前記特定の患者の撮像画像の候補をサムネイルとして表示する、
ことを特徴とする付記１６〜付記２９の何れか１項記載の抽出装置。
【０１６８】
（付記３１）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像の次の画像以降の画像を前記特定の患者の撮像画像の候補として抽出して表示する、
ことを含む処理をコンピュータに実行させる電子カルテシステムへの登録画像候補の抽出方法。
【０１６９】
（付記３２）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像の前の画像までを前記特定の患者の撮像画像の候補として抽出して表示する、
ことを含む処理をコンピュータに実行させる電子カルテシステムへの登録画像候補の抽出方法。
【０１７０】
（付記３３）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像と、他の患者に対応する識別情報が画像中に検知される撮像画像との間の１又は複数の撮像画像を前記特定の患者の撮像画像の候補として抽出して表示する、
ことを含む処理をコンピュータに実行させる電子カルテシステムへの登録画像候補の抽出方法。
【０１７１】
（付記３４）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像以降の画像を前記特定の患者の撮像画像の候補として抽出して表示する、
ことを含む処理をコンピュータに実行させる電子カルテシステムへの登録画像候補の抽出方法。
【０１７２】
（付記３５）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像までを前記特定の患者の撮像画像の候補として抽出して表示する、
ことを含む処理をコンピュータに実行させる電子カルテシステムへの登録画像候補の抽出方法。
【０１７３】
（付記３６）
カメラにより順次撮像された一連の撮像画像を取得し、
前記一連の撮像画像のうち、電子カルテシステムに登録された特定の患者に対応する識別情報が画像中に検知される撮像画像を特定し、
前記一連の撮像画像のうち、特定した前記撮像画像から、他の患者に対応する識別情報が画像中に検知される撮像画像の直前の画像までの１又は複数の撮像画像を前記特定の患者の撮像画像の候補として抽出して表示する、
ことを含む処理をコンピュータに実行させる電子カルテシステムへの登録画像候補の抽出方法。
【０１７４】
（付記３７）
特定した前記撮像画像も、抽出した前記撮像画像の候補の表示に合わせて表示する、
ことを特徴とする付記３１〜付記３６の何れか１項記載の抽出方法。
【０１７５】
（付記３８）
前記患者を識別する識別情報は、前記患者の識別情報を示す１次元バーコード又は２次元バーコードにより表される情報である、
ことを特徴とする付記３１〜付記３７の何れか１項記載の抽出方法。
【０１７６】
（付記３９）
前記電子カルテシステムにおいて、前記特定の患者について画像を追加登録する対象の項目の選択を受け付け、
前記項目に対応して登録可能な画像枚数を特定し、
特定した前記画像枚数の範囲内で、表示された前記撮像画像の中から前記電子カルテシステムに登録する撮像画像の選択を許容する、
ことを特徴とする付記３１〜付記３８の何れか１項記載の抽出方法。
【０１７７】
（付記４０）
特定した前記画像枚数と、前記電子カルテシステムに登録撮像画像として選択済みの撮像画像の枚数との差分枚数を、前記電子カルテシステムに登録する撮像画像の選択に応じて順次、更新表示する、
ことを特徴とする付記３９記載の抽出方法。
【０１７８】
（付記４１）
前記識別情報が画像中に検知される撮像画像を特定できない場合、予め定められた警告処理を実行する、
ことを特徴とする付記３１〜付記４０の何れか１項記載の抽出方法。
【０１７９】
（付記４２）
前記電子カルテシステムに既に登録されており、かつ該登録を解除する前記撮像画像の選択を受け付け、
選択された前記撮像画像の前記電子カルテシステムへの登録を解除する、
ことを特徴とする付記３９または付記４０記載の抽出方法。
【０１８０】
（付記４３）
前記識別情報は、患者に配布された診察券に記載されている該患者を特定可能な情報である、
ことを特徴とする付記３１〜付記４２の何れか１項記載の抽出方法。
【０１８１】
（付記４４）
前記撮像画像は、静止画像及び動画像の少なくとも一方を含む、
ことを特徴とする付記３１〜付記４３の何れか１項記載の抽出方法。
【０１８２】
（付記４５）
前記特定の患者の撮像画像の候補をサムネイルとして表示する、
ことを特徴とする付記３１〜付記４４の何れか１項記載の抽出方法。
【符号の説明】
【０１８３】
１０  抽出装置
１１  取得部
１２  特定部
１３  抽出表示部
１４  受付部
１５  第２特定部
１６  許容部
１７  解除部
２０  カメラ
３０  コンピュータ
３１  ＣＰＵ
３３  記憶部
３３Ａ  抽出プログラム
３３Ａ１  取得プロセス
３３Ａ２  特定プロセス
３３Ａ３  抽出表示プロセス
３３Ａ４  受付プロセス
３３Ａ５  第２特定プロセス
３３Ａ６  許容プロセス
３３Ａ７  解除プロセス
３３Ｂ  電子カルテＤＢ記憶領域
３３Ｃ  画像データ記憶領域
３４  入力部
３５  表示部
３５Ｃ  サムネイル
３６  Ｉ／Ｆ部
５０  電子カルテＤＢ
６０Ａ、６０Ｂ  診察券
６２Ａ  ２次元バーコード
６２Ｂ  １次元バーコード
【図１】
0006350104.tif 000002
【図２】
0006350104.tif 000003
【図３】
0006350104.tif 000004
【図４】
0006350104.tif 000005
【図５】
0006350104.tif 000006
【図６】
0006350104.tif 000007
【図７】
0006350104.tif 000008
【図８】
0006350104.tif 000009
【図９】
0006350104.tif 000010
【図１０】
0006350104.tif 000011
【図１１】
0006350104.tif 000012
【図１２】
0006350104.tif 000013
【図１３】
0006350104.tif 000014
【図１４】
0006350104.tif 000015
【図１５】
0006350104.tif 000016
【図１６】
0006350104.tif 000017
【図１７】
0006350104.tif 000018
【図１８】
0006350104.tif 000019
【図１９】
0006350104.tif 000020
【図２０】
0006350104.tif 000021